(57)【要約】      （修正有）【課題】壁面に掛けられるか、又は卓上に据えられ、携帯式記録メディアに検出データを直接記録することによって使用上の利便性を高めるメーターを提供する。【解決手段】メーター１０は、ハウジング２０、制御回路、センサー、ディスプレイ、伝送端子、キャップ３８及びスタンド３９を有し、ハウジング２０は、壁掛け孔２２を有する。制御回路は、電子信号データを処理するプリント基板である。センサーは、制御回路に電気的に接続し、感知した環境パラメーターを制御回路に伝送する。ディスプレイは、制御回路に電気的に接続し、センサーからの検出結果データを即時表示する。スタンド３９および壁掛け孔２２により、メーター１０を卓上に立てたり、壁面に掛けたりすることができ、ディスプレイによって即時表示された検出数値を容易に観察し、メーター１０を使用する際の利便性を大きく高めることができる。【選択図】図２
0003163617.tif 000002
【実用新案登録請求の範囲】
【請求項１】
携帯式記録メディアに合わせて使用されるメーターであって、
壁掛け孔を有するハウジングと、
前記ハウジングに内蔵される制御回路と、
前記制御回路に電気的に接続するように前記ハウジングに装着され、検出データを獲得するセンサーと、
前記制御回路に電気的に接続するように前記ハウジングの外側に装着されるディスプレイと、
前記制御回路に電気的に接続するように前記ハウジングに装着される伝送端子と、
を備え、
前記携帯式記録メディアは、差し込み及び取り出しができる方式によって、前記伝送端子に接続されることを特徴とするメーター。
【請求項２】
前記センサーは、前記ハウジングの内側に装着されることを特徴とする請求項１に記載のメーター。
【請求項３】
前記センサーは、前記ハウジングの外側に装着されることを特徴とする請求項１に記載のメーター。
【請求項４】
前記伝送端子は、ＵＳＢポートまたはＳＤメモリーカードポート（Secure Digital Memory Card Port)であることを特徴とする請求項１に記載のメーター。
【請求項５】
前記ハウジングは、前記伝送端子に対応する位置にスロットを有することを特徴とする請求項１に記載のメーター。
【請求項６】
前記ハウジングに取り付けられ、前記スロットの閉鎖に用いられるキャップを有することを特徴とする請求項５に記載のメーター。
【請求項７】
前記ディスプレイを立てて設置するように前記ハウジングに連結されるスタンドを有することを特徴とする請求項１に記載のメーター。
【請求項８】
前記ディスプレイを立てて設置するように前記ハウジングを載せるスタンドを有することを特徴とする請求項１に記載のメーター。
【考案の詳細な説明】
【技術分野】
【０００１】
本考案は、メーターに関する。
【背景技術】
【０００２】
温度、湿度、気圧または様々な環境パラメーターの検出に用いるモバイルメーターは広く用いられている。従来のモバイルメーターは、ハウジング、センサー、制御回路、ディスプレイおよびマイクロハードディスクを備え、センサーによって様々な環境パラメーターを検出し、制御回路によって検出結果をディスプレイに表示し、マイクロハードディスクに記録する。
【考案の概要】
【考案が解決しようとする課題】
【０００３】
しかしながら、メーターを手で持つか、又は卓上に水平に据えて使用することが一般的であり、使用および観察の便をはかるため、縦に据えるか、又は壁に掛けて使用することができないため、使用に非常に不便である。またマイクロハードディスク内に記録された検出データを読み取るには、信号伝送ケーブルによってメーターとコンピューターとを接続させる必要があるため、使用上の不便を招く。
【０００４】
本考案の目的は、壁面に縦に掛けられるか、又は卓上に据えられることによって観察の便をはかることができ、携帯式記録メディアに検出データを直接記録することによって使用上の利便性を高めることができるメーターを提供することである。
【課題を解決するための手段】
【０００５】
上述の目的を達成するため、本考案によるメーターは、ハウジング、制御回路、センサー、ディスプレイおよび伝送端子を有する。ハウジングは、壁掛け孔を有する。制御回路は、ハウジングに内蔵される。センサーは、制御回路に電気的に接続するようにハウジングに装着され、検出データを獲得する。ディスプレイは、制御回路に電気的に接続するようにハウジングの外側に装着される。伝送端子は、制御回路に電気的に接続するようにハウジングに装着される。携帯式記録メディアは、差し込み及び取り出しができる方式によって伝送端子に接続される。
【０００６】
センサーは、ハウジングの内側または外側に装着されてもよい。
伝送端子は、ＵＳＢポートまたはＳＤメモリーカードポート（Secure Digital Memory Card Port)にしてもよい。
【０００７】
ハウジングは、スロットを有する。スロットの位置は、伝送端子に対応する。
メーターは、さらにキャップおよびスタンドを有する。キャップはスロットの閉鎖に用いられる。スタンドはハウジングに連結されるか、分離可能なようにハウジングの底部に装着される。
【０００８】
壁掛け孔によってメーターを壁面のフックに掛けることができる。スタンドによって、メーターを卓上に立てることができる。携帯式記録メディアと伝送端子とが互いに接続する時、センサーは、制御回路および伝送端子を介して携帯式記録メディアに検出データを即時記録することができる。
【図面の簡単な説明】
【０００９】
【図１】本考案の第１実施形態によるメーターを示す斜視図（その一）である。
【図２】本考案の第１実施形態によるメーターを示す斜視図（その二）である。
【図３】本考案の第１実施形態によるメーターの内部のユニットを示すブロック図である。
【図４】本考案の第２実施形態によるメーターを示す斜視図（その一）である。
【図５】本考案の第２実施形態によるメーターを示す斜視図（その二）である。
【考案を実施するための形態】
【００１０】
以下、本考案によるメーターを図面に基づいて説明する。
（第１実施形態）
図１および図２に示すように、メーター１０は、ハウジング２０、制御回路３０（図中未表示）、センサー３２、ディスプレイ３４、伝送端子３６、キャップ３８およびスタンド３９を有し、携帯式記録メディア１２に合わせて使用される。
【００１１】
ハウジング２０は、中空の内部、壁掛け孔２２およびスロット２４を有する。壁掛け孔２２によって、メーター１０を壁面のフック（図中未表示）に掛ける。スロット２４は、ハウジング２０の内外両側を連通する。
【００１２】
制御回路３０は、メーター１０の電子信号データを処理するプリント基板(Printed Circuit Board, ＰＣＢ)である。
センサー３２は、制御回路３０に電気的に接続するようにハウジング２０に内蔵される。センサー３２は、感知した環境パラメーターを制御回路３０に伝送する。センサー３２は、検出によって、一種または多種の環境中の検出データ、例えば温度、湿度、圧力、音量、効率、電場、磁場、放射量、速度、回転速度、風速または熱指数(heat index)などの物理量、または大気中の一酸化炭素、二酸化炭素、オゾン、窒素酸化物、硫酸化物、揮発性有機物、浮遊粒子またはそれ以外の特定の気体の濃度、酸素溶解度、ＰＨ値、導電度、濁度などの各種液体のパラメーターを獲得することができる。
【００１３】
ディスプレイ３４は、制御回路３０に電気的に接続するようにハウジング２０の外側に装着され、センサー３２からの検出結果データを即時表示する。
【００１４】
伝送端子３６は、制御回路３０に電気的に接続するようにハウジング２０に内蔵され、その位置はハウジング２０のスロット２４に対応する。本実施形態において、伝送端子３６はＳＤメモリーカードポート（Secure Digital Memory Card Port)である。携帯式記録メディア１２は、差し込み及び取り出しができる方式によって、ＳＤメモリーカードポートに接続されるＳＤメモリーカードである。ユーザーは、ハウジング２０のスロット２４に、ＳＤメモリーカード１２を差し込み、ＳＤメモリーカード１２を伝送端子３６に電気的に接続させる。センサー３２は、制御回路３０および伝送端子３６を介して、携帯式記録メディア１２に検出データを即時記録する。
【００１５】
キャップ３８は、ハウジング２０に取り付けられ、スロット２４の閉鎖に用いられる、ほこりまたはそれ以外の異物がスロット２４に入り込むことを避ける。
【００１６】
スタンド３９は、メーター１０を卓上に立てるように、ハウジング２０の外側に連結される。
スタンド３９および壁掛け孔２２によって、メーター１０を卓上に立てたり、壁面に掛けたりすることができるため、ディスプレイ３４によって即時表示された検出数値を容易に観察し、メーター１０を使用する際の利便性を大きく高めることが可能となる。メーター１０の検出によって獲得された様々な検出データは、制御回路３０および伝送端子３６によって携帯式記録メディア１２内に記録されるため、携帯式記録メディア１２の取り出しおよび取り替えによってメーター１０からの検出データを収集する効果を達成することができる。
【００１７】
（第２実施形態）
本考案の思想に基づいて、メーターの構造を自由に変更することができる。
図４および図５に示すように、メーター４０は、同様にハウジング５０、制御回路（図中未表示）、センサー５４、ディスプレイ５６、伝送端子（図中未表示）およびスタンド５８を有する。
【００１８】
第１実施形態との違いは次の通りである。
センサー５４は、ハウジング５０の外部に装着される。伝送端子は、ＵＳＢメモリー（図中未表示）を差し込んでデータの伝送及び記録を行うことが可能なＵＳＢポートである。スタンド５８は、ハウジング５０を置くため、分離可能なようにハウジング５０の底部に装着される。
【００１９】
以上、本考案は、上記実施形態になんら限定されるものではなく、考案の趣旨を逸脱しない範囲において種々の形態で実施可能である。
【符号の説明】
【００２０】
１０・・・メーター、
１２・・・携帯式記録メディア、
２０・・・ハウジング、
２２・・・壁掛け孔、
２４・・・スロット、
３０・・・制御回路、
３２・・・センサー、
３４・・・ディスプレイ、
３６・・・伝送端子、
３８・・・キャップ、
３９・・・スタンド、
４０・・・メーター、
５０・・・ハウジング、
５２・・・壁掛け孔、
５３・・・スロット、
５４・・・センサー、
５６・・・ディスプレイ、
５８・・・スタンド。
【図１】
0003163617.tif 000003
【図２】
0003163617.tif 000004
【図３】
0003163617.tif 000005
【図４】
0003163617.tif 000006
【図５】
0003163617.tif 000007